(57)【要約】      （修正有）【課題】測定により得られた生体情報を送信するための通信を簡単な操作で開始できる生体情報測定装置を提供する。【解決手段】生体情報測定装置は、生体に接触させる生体接触面、生体接触面を通じて得られる生体情報を測定可能な測定部１０と、生体情報を送信可能な通信部５０と、生体接触面を覆う被覆部３００と、生体接触面から被覆部３００が剥離されたか否かを判定する制御部６０とを有する。通信部５０は、制御部６０において被覆部３００が剥離されたと判定された場合に通信を開始する。被覆部３００は導電性を有しており、制御部６０は生体接触面における導電率に基づいて被覆部３００の剥離の有無を判定する。【選択図】図２
2018191748.tif 000002
【特許請求の範囲】
【請求項１】
生体に接触させる生体接触面と、
前記生体接触面を通じて得られる生体情報を測定可能な測定部と、
前記生体情報を送信可能な通信部と、
前記生体接触面を覆う被覆部と、
前記生体接触面から前記被覆部が剥離されたか否かを判定する制御部とを有し、
前記通信部は、前記制御部において前記被覆部が剥離されたと判定された場合に通信を開始する、
生体情報測定装置。
【請求項２】
前記被覆部は導電性を有しており、
前記制御部は、前記生体接触面における導電率に基づいて前記被覆部の剥離の有無を判定する、
請求項１に記載の生体情報測定装置。
【請求項３】
前記生体接触面に配置された複数の生体用電極を有し、
前記測定部は、前記複数の生体用電極を通じて得られる生体情報を測定し、
前記制御部は、２つの前記生体用電極の間における導電率に基づいて前記被覆部の剥離の有無を判定する、
請求項２に記載の生体情報測定装置。
【請求項４】
前記２つの生体用電極における一方の生体用電極に第１検査信号を出力する第１信号出力部と、
前記２つの生体用電極における他方の生体用電極から信号を入力する信号入力部とを有し、
前記制御部は、前記第１検査信号に応じて前記信号入力部が入力した信号に基づいて、前記被覆部の剥離の有無を判定する、
請求項３に記載の生体情報測定装置。
【請求項５】
前記制御部は、前記被覆部が剥離されたと判定する前において、消費電力が抑制されるスリープモードへ移行するとともに、一定の周期で前記スリープモードから通常モードに移行し、前記通常モードの期間において前記信号入力部から信号を入力し、当該入力した信号に基づいて前記被覆部の剥離の有無を判定する、
請求項４に記載の生体情報測定装置。
【請求項６】
前記制御部は、前記被覆部が剥離されたと判定する前において、前記第１信号出力部から前記第１検査信号を出力した状態のまま、消費電力が抑制されるスリープモードへ移行するとともに、前記信号入力部において入力される信号を割り込み信号として監視し、前記割り込み信号が所定のアクティブ状態となった場合、前記スリープモードから通常モードへ移行するとともに、前記被覆部が剥離されたと判定する、
請求項４に記載の生体情報測定装置。
【請求項７】
前記制御部は、前記被覆部が剥離されたと判定した場合、前記第１信号出力部の出力ライン及び前記信号入力部の入力ラインを前記２つの生体用電極からそれぞれ電気的に切断するように前記第１信号出力部及び前記信号入力部を制御する、
請求項４乃至６の何れか一項に記載の生体情報測定装置。
【請求項８】
前記制御部は、前記被覆部が剥離されたと判定した後、前記生体接触面に生体が接触したか否かを更に判定し、
前記測定部は、前記制御部において前記生体接触面に生体が接触したと判定された場合に測定を開始する、
請求項１乃至７の何れか一項に記載の生体情報測定装置。
【請求項９】
前記生体接触面に配置された複数の生体用電極と、
２つの前記生体用電極の間に第２検査信号を出力可能であり、前記生体接触面に接触する生体に比べて出力インピーダンスが大きい第２信号出力部とを有し、
前記測定部は、前記複数の生体用電極に入力される電気信号を前記生体情報として測定し、
前記制御部は、前記被覆部が剥離されたと判定した後、前記第２信号出力部から前記第２検査信号を出力し、前記第２検査信号に応じた前記測定部の測定結果の変化に基づいて前記生体の接触の有無を判定する、
請求項８に記載の生体情報測定装置。
【請求項１０】
前記制御部は、前記生体接触面に生体が接触したと判定した後、前記測定部において所定の生体活動を示す前記生体情報が一定時間以上測定されない場合、異常の発生を通知するための異常通知を前記通信部から送信する、
請求項８又は９に記載の生体情報測定装置。
【請求項１１】
生体に接触させる生体接触面と、
前記生体接触面を通じて得られる生体情報を測定可能な測定部と、
前記生体情報を送信可能な通信部と、
前記生体接触面を覆う導電性の被覆部とを有した生体情報測定装置の制御方法であって、
前記生体接触面における導電率に基づいて、前記生体接触面から前記被覆部が剥離されたか否かを判定するステップと、
前記判定において前記被覆部が剥離されたと判定された場合、前記通信部において通信を開始するステップとを有する、
生体情報測定装置の制御方法。
【請求項１２】
請求項１１に記載の生体情報測定装置の制御方法をコンピュータに実行させるためのプログラム。
【発明の詳細な説明】
【技術分野】
【０００１】
本発明は、生体情報を測定する生体情報測定装置に関するものである。
【背景技術】
【０００２】
生体の活動状態に関連する情報を計測する装置は、医療分野において欠かせないものであり、近年では健康管理などを目的とする個人用の装置も広く普及している。例えば下記の特許文献に記載される生体情報測定装置は、バイオセンサとＲＦＩＤが内蔵された検体粘着シートと、皮膚に貼り付けた検体粘着シートのＲＦＩＤから無線により生体情報を受信する携帯型情報端末とを備える。
【先行技術文献】
【特許文献】
【０００３】
【特許文献１】特開２００６−５８２６３号公報
【発明の概要】
【発明が解決しようとする課題】
【０００４】
この特許文献の装置では、測定によって得られた生体情報を携帯型情報端末に送信する。また、近年では、測定結果を無線によってホスト装置に送信する心電計も存在する。このような生体情報測定装置の場合、測定結果を利用するためには、まず無線による通信を確立させておく必要がある。しかしながら、医療分野などにおいては、測定データを緊急に利用する場合がある。このような用途では、携帯型情報端末などのボタンを押して通信を開始させる方法では操作が面倒であり、測定結果を直ちに利用することが難しいという不利益がある。
【０００５】
本発明はかかる事情に鑑みてなされたものであり、その目的は、測定により得られた生体情報を送信するための通信を簡単な操作で開始できる生体情報測定装置とその制御方法及びプログラムを提供することにある。
【課題を解決するための手段】
【０００６】
本発明の第１の観点に係る生体情報測定装置は、生体に接触させる生体接触面と、前記生体接触面を通じて得られる生体情報を測定可能な測定部と、前記生体情報を送信可能な通信部と、前記生体接触面を覆う被覆部と、前記生体接触面から前記被覆部が剥離されたか否かを判定する制御部とを有する。前記通信部は、前記制御部において前記被覆部が剥離されたと判定された場合に通信を開始する。
【０００７】
この構成によれば、前記生体接触面から前記被覆部を剥がす簡単な操作によって、前記通信部の通信が開始される。
【０００８】
好適に、前記被覆部は導電性を有してよい。前記制御部は、前記生体接触面における導電率に基づいて前記被覆部の剥離の有無を判定してよい。
【０００９】
この構成によれば、前記生体接触面から導電性の前記被覆部が剥離されているか否かに応じて、前記生体接触面の導電率が異なるため、前記生体接触面の導電率に基づいて前記被覆部の剥離の有無が判定される。
【００１０】
好適に、上記生体情報測定装置は、前記生体接触面に配置された複数の生体用電極を有してよい。前記測定部は、前記複数の生体用電極を通じて得られる生体情報を測定してよい。前記制御部は、２つの前記生体用電極の間における導電率に基づいて前記被覆部の剥離の有無を判定してよい。
【００１１】
この構成によれば、前記生体接触面から導電性の前記被覆部が剥離されているか否かに応じて、前記生体接触面に配置された前記２つの生体用電極の間における導電率が異なるため、前記生体接触面の導電率に基づいて前記被覆部の剥離の有無が判定される。
【００１２】
好適に、上記生体情報測定装置は、前記２つの生体用電極における一方の生体用電極に第１検査信号を出力する第１信号出力部と、前記２つの生体用電極における他方の生体用電極から信号を入力する信号入力部とを有してよい。前記制御部は、前記第１検査信号に応じて前記信号入力部が入力した信号に基づいて、前記被覆部の剥離の有無を判定してよい。
【００１３】
この構成によれば、前記生体接触面から導電性の前記被覆部を剥離することによって、前記２つの生体用電極の間における導電率が変化すると、前記２つの生体用電極における一方の生体用電極から他方の生体用電極へ伝わる前記第２検査信号が変化する。そのため、前記第１検査信号に応じて前記信号入力が入力した信号に基づいて、前記被覆部の有無が判定される。
【００１４】
好適に、前記制御部は、前記被覆部が剥離されたと判定する前において、消費電力が抑制されるスリープモードへ移行するとともに、一定の周期で前記スリープモードから通常モードに移行し、前記通常モードの期間において前記信号入力部から信号を入力し、当該入力した信号に基づいて前記被覆部の剥離の有無を判定してよい。
【００１５】
この構成によれば、前記被覆部が剥離される前の段階では、前記スリープモードへ移行するとともに、一定の周期で前記スリープモードから前記通常モードに移行して、前記被覆部の剥離の有無が判定される。そのため、前記被覆部が剥離される前の段階における消費電力が抑制される。
【００１６】
好適に、前記制御部は、前記被覆部が剥離されたと判定する前において、前記第１信号出力部から前記第１検査信号を出力した状態のまま、消費電力が抑制されるスリープモードへ移行するとともに、前記信号入力部において入力される信号を割り込み信号として監視し、前記割り込み信号が所定のアクティブ状態となった場合、前記スリープモードから通常モードへ移行するとともに、前記被覆部が剥離されたと判定してよい。
【００１７】
この構成によれば、前記被覆部が剥離される前の段階では、前記割り込み信号が前記所定のアクティブ状態となるまで前記スリープモードが維持される。そのため、前記被覆部が剥離される前の段階における消費電力が抑制される。
【００１８】
好適に、前記制御部は、前記被覆部が剥離されたと判定した場合、前記第１信号出力部の出力ライン及び前記信号入力部の入力ラインを前記２つの生体用電極からそれぞれ電気的に切断するように前記第１信号出力部及び前記信号入力部を制御してよい。
【００１９】
この構成によれば、前記測定部において前記生体情報の測定が行われる際に、前記第１信号出力部の出力ライン及び前記信号入力部の入力ラインが前記２つの生体用電極からそれぞれ電気的に切断されている。そのため、前記測定部の測定結果が前記第１信号出力部及び前記信号入力部の影響を受け難くなる。
【００２０】
好適に、前記制御部は、前記被覆部が剥離されたと判定した後、前記生体接触面に生体が接触したか否かを更に判定してよい。前記測定部は、前記制御部において前記生体接触面に生体が接触したと判定された場合に測定を開始してよい。
【００２１】
この構成によれば、前記被覆部が剥離された後、前記生体接触面に生体が接触するまで前記測定部の測定が開始されないため、不必要な測定による消費電力の増大が回避され易くなる。
【００２２】
好適に、上記生体情報測定装置は、前記生体接触面に配置された複数の生体用電極と、２つの前記生体用電極の間に第２検査信号を出力可能であり、前記生体接触面に接触する生体に比べて出力インピーダンスが大きい第２信号出力部とを有してよい。前記測定部は、前記複数の生体用電極に入力される電気信号を前記生体情報として測定してよい。前記制御部は、前記被覆部が剥離されたと判定した後、前記第２信号出力部から前記第２検査信号を出力し、前記第２検査信号に応じた前記測定部の測定結果の変化に基づいて前記生体の接触の有無を判定してよい。
【００２３】
この構成によれば、前記被覆部が剥離された後、前記２つの生体用電極の間に前記第２検査信号が出力されると、前記測定部では、前記第２検査信号に応じた測定結果が得られる。この状態で前記生体接触面に生体が接触すると、前記第２信号出力部の出力インピーダンスが生体に比べて大きいため、前記２つの生体用電極の間における前記第２検査信号の振幅が小さくなる。この振幅の変化により、前記測定部の測定結果が変化する。従って、前記第２検査信号に応じた前記測定部の測定結果の変化に基づいて、前記生体の接触の有無が判定される。
【００２４】
好適に、前記制御部は、前記生体接触面に生体が接触したと判定した後、前記測定部において所定の生体活動を示す前記生体情報が一定時間以上測定されない場合、異常の発生を通知するための異常通知を前記通信部から送信してよい。
【００２５】
この構成によれば、前記生体接触面に前記生体が接触した後、前記所定の生体活動を示す前記生体情報が測定されない状態が続いた場合に、前記通信部から前記異常通知が送信される。これにより、生体の異変や機器の故障などの異常の発生を、簡易な処理で他の機器に通知することが可能になる。
【００２６】
本発明の第２の観点は、生体情報測定装置の制御方法に関する。前記生体情報測定装置は、生体に接触させる生体接触面と、前記生体接触面を通じて得られる生体情報を測定可能な測定部と、前記生体情報を送信可能な通信部と、前記生体接触面を覆う導電性の被覆部とを有する。前記生体情報測定装置の制御方法は、前記生体接触面における導電率に基づいて、前記生体接触面から前記被覆部が剥離されたか否かを判定するステップと、前記判定において前記被覆部が剥離されたと判定された場合、前記通信部において通信を開始するステップとを有する。
【００２７】
本発明の第３の観点は、上記第２の観点に係る生体情報測定装置の制御方法をコンピュータに実行させるプログラムに関する。
【発明の効果】
【００２８】
本発明によれば、測定により得られた生体情報を送信するための通信を簡単な操作で開始できる。
【図面の簡単な説明】
【００２９】
【図１】図１Ａ及び図１Ｂは、本実施形態に係る生体情報測定装置の一例を示す図である。図１Ａは外観の斜視図であり、図１Ｂは被覆部を剥離した状態で生体接触面側からみた底面図である。
【図２】図２は、本実施形態に係る生体情報測定装置の電気的な構成の一例を示す図である。
【図３】図３Ａ及び図３Ｂは、第１信号出力部及び信号入力部の構成の一例を示す図である。
【図４】図４は、測定部及び第２信号出力部の構成の一例を示す図である。
【図５】図５は、測定部及び第２信号出力部の変形例を示す図である。
【図６】図６は、本実施形態に係る生体情報測定装置の一動作例を説明するためのフローチャートである。
【図７】図７は、剥離判定の一動作例を説明するためのフローチャートである。
【図８】図８は、剥離判定の他の動作例を説明するためのフローチャートである。
【発明を実施するための形態】
【００３０】
以下、本実施形態に係る生体情報測定装置について図面を参照しながら説明する。図１は、本実施形態に係る生体情報測定装置の一例を示す図である。本実施形態に係る生体情報測定装置は、生体に接触した生体接触面を通じて得られる生体情報を測定する装置であり、例えば、心臓の活動に伴う電気信号を測定する装置（心電計）である。
【００３１】
図１の例において、生体情報測定装置は、生体接触面１０３を含んだシート部材１０１と、生体接触面１０３に配置された生体用電極Ｅ１０１及びＥ１０２と、生体接触面１０３を覆う被覆部３００と、後述する電気回路（図２）の部品などが収容されたケース２０１とを有する。図１Ａは、生体情報測定装置の外観の斜視図であり、図１Ｂは、被覆部３０を剥離した状態で生体接触面１０３側からみた底面図である。
【００３２】
図１Ｂに示すように、シート部材１０１は、両端に略合同な円形の領域を持ち、両端の円形領域の中間に帯状領域を持つ。シート部材１０１は、例えばポリエチレンフォームなどの柔軟性を有する材料で形成される。シート部材１０１の一方の面は、皮膚などに接触させる生体接触面１０３となっており、この生体接触面１０３に生体用電極Ｅ１０１及びＥ１０２が設けられている。図１Ｂの例において、生体用電極Ｅ１０１及びＥ１０２は略合同な円形の形状を持ち、それぞれシート部材１０１の両端の円形領域に配置される。
【００３３】
図１Ａの例において、ケース２０１は直方体の形状を持つ。ケース２０１とシート部材１０１とは、例えば粘着剤や両面テープなどで接着される。シート部材１０１の生体用電極Ｅ１０１及びＥ１０２は、この接着部分に設けられた図示しない端子を介して、ケース２０１内の電気回路と接続される。
【００３４】
被覆部３００は、導電性を有するフィルムである。生体接触面１０３は粘着性を有しており、例えば粘着剤が塗布されている。使用前は、図１Ａに示すように、被覆部３００が生体接触面１０３に貼り付けられた状態となっている。生体接触面１０３は、被覆部３００で覆われることにより、ゴミや汚れなどから保護される。被覆部３００が導電性を有するため、生体接触面１０３が被覆部３００で覆われた状態では、生体用電極Ｅ１０１と生体用電極Ｅ１０２との間の導電率が高くなっている（抵抗が低くなっている）。
【００３５】
図２は、本実施形態に係る生体情報測定装置の電気的な構成の一例を示す図である。図２に示す生体情報測定装置は、測定部１０と、第１信号出力部２０と、信号入力部３０と、第２信号出力部４０と、通信部５０と、制御部６０と、記憶部７０を有する。
【００３６】
測定部１０は、生体接触面１０３が生体に接触している場合に、生体用電極Ｅ１０１及び１０２を通じて入力される生体情報を測定する。すなわち、測定部１０は、生体用電極Ｅ１０１及びＥ１０２の間に生じる生体の電気信号を生体情報として測定する。例えば、測定部１０は、生体用電極Ｅ１０１及びＥ１０２の間に生じる微小な電気信号を増幅するアンプを含む。測定部１０の具体的な構成例については、後で図４等を参照して説明する。
【００３７】
第１信号出力部２０は、制御部６０の制御信号Ｓ２に応じた第１検査信号Ｓ２０を生体用電極Ｅ１０１に出力する。また第１信号出力部２０は、制御部６０の制御に応じて、第１検査信号Ｓ２０の出力ラインを電気的に切断する。
【００３８】
信号入力部３０は、第１信号出力部２０から第１検査信号Ｓ２０が出力されるときに、この第１検査信号Ｓ２０に応じた信号Ｓ３０を生体用電極Ｅ１０２から入力する。また信号入力部３０は、制御部６０の制御に応じて、信号Ｓ３０の入力ラインを電気的に切断する。
【００３９】
図３Ａは、第１信号出力部２０及び信号入力部３０の構成の一例を示す図である。図３Ａの例において、第１信号出力部２０はゲート回路Ｕ１とスイッチＳＷ１を含み、信号入力部３０はゲート回路Ｕ２とスイッチＳＷ２を含む。
【００４０】
ゲート回路Ｕ１は、ハイレベル又はローレベルの制御信号Ｓ１に応じたハイレベル又はローレベルの信号を出力する。スイッチＳＷ１は、ゲート回路Ｕ１の出力と生体用電極Ｅ１０１との間における第１検査信号Ｓ２０の信号経路に設けられており、制御部６０の制御に従って導通又は遮断する。
【００４１】
ゲート回路Ｕ２は、生体用電極Ｅ１０２から入力される信号Ｓ３０に応じたハイレベル又はローレベルの信号Ｓ３を制御部６０に出力する。信号Ｓ３０の電圧が所定の論理しきい電圧より低い場合、ゲート回路Ｕ２はローレベルの信号Ｓ３を出力し、信号Ｓ３０が論理しきい電圧より高い場合、ゲート回路Ｕ２はハイレベルの信号Ｓ３を出力する。スイッチＳＷ２は、生体用電極Ｅ１０２とゲート回路Ｕ２の入力との間における信号Ｓ３０の信号経路に設けられており、制御部６０の制御に従って導通又は遮断する。
【００４２】
被覆部３００が生体接触面１０３を覆っている場合、生体用電極Ｅ１０１及びＥ１０２が導電性の被覆部３００によって導通するため、生体用電極Ｅ１０１及びＥ１０２の間の抵抗は比較的小さくなる。この抵抗がゲート回路Ｕ２の入力インピーダンスに比べて十分に小さい場合、ゲート回路Ｕ１の出力信号とほぼ同じ電圧レベルの信号がゲート回路Ｕ２に入力される。従って、制御信号Ｓ２の論理値はゲート回路Ｕ２の信号Ｓ３の論理値と等しくなる。他方、被覆部３００が生体接触面１０３から剥離された場合、生体用電極Ｅ１０１及びＥ１０２が遮断されるため、ゲート回路Ｕ２の信号Ｓ３は制御信号Ｓ２の論理値に関わらず一定の値（ローレベル）になる。従って、制御部６０は、制御信号Ｓ３をハイレベルに設定したときの信号Ｓ３の論理値に基づいて、被覆部３００が生体接触面１０３から剥離されたか否かを判定することができる。
【００４３】
なお、ゲート回路Ｕ２の入力インピーダンスが非常に高い場合、ゲート回路Ｕ２の入力電圧が不安定にならないように、ゲート回路Ｕ２の入力ラインは抵抗によってプルダウンしてもよい。図３Ｂは、ゲート回路Ｕ２の入力ラインを抵抗によってプルダウンする場合の構成例を示す。図３Ｂに示す信号入力部３０は、図３Ａと同様の構成に加えて、プルダウン用の抵抗Ｒ２を含む。抵抗Ｒ２は、ゲート回路Ｕ２の入力ラインとグランドとの間に接続される。
【００４４】
また、図３Ｂに示す第１信号出力部２０は、図３Ａと同様の構成に加えて、抵抗Ｒ１を含む。抵抗Ｒ１は、ゲート回路Ｕ１の出力と生体用電極Ｅ１０１との間の信号経路に設けられており、図３Ｂの例では、ゲート回路Ｕ１の出力とスイッチＳＷ１との間の信号経路に設けられている。抵抗Ｒ１を設けることによって、ゲート回路Ｕ１の出力がハイレベルの場合の電流値が小さくなるため、消費電力が抑制される。抵抗Ｒ１及びＲ２の抵抗値は、抵抗Ｒ１と抵抗Ｒ２との分圧比に応じてゲート回路Ｕ２の入力に発生するハイレベルの電圧が、所定の論理しきい電圧より十分に高くなるような値に設定される。
【００４５】
図２に戻る。
第２信号出力部４０は、制御部６０の制御信号Ｓ４に応じた第２検査信号Ｓ４０を生体用電極Ｅ１０１及びＥ１０２の間に出力する。第２信号出力部４０は、生体接触面１０３に接触する生体に比べて十分に大きな出力インピーダンスを有する。
【００４６】
第２信号出力部４０の出力インピーダンスが生体の接触によるインピーダンスより大きいため、生体用電極Ｅ１０１及びＥ１０２の間に出力される第２検査信号Ｓ４０の電圧振幅は、生体接触面１０３における生体の接触の有無に応じて大きく変化する。すなわち、生体接触面１０３に生体が接触していていない場合、第２検査信号Ｓ４０の電圧振幅は大きくなり、生体接触面１０３に生体が接触している場合、第２検査信号Ｓ４０の電圧振幅は小さくなる。このような第２検査信号Ｓ４０の電圧振幅の変化は、測定部１０の測定結果の変化をもたらす。従って、制御部６０は、第２信号出力部４０から第２検査信号Ｓ４０が出力されているときの測定部１０の測定結果に基づいて、生体用電極Ｅ１０１及びＥ１０２に生体が接触しているか否かを判定することができる。
【００４７】
図４は、測定部１０及び第２信号出力部４０の構成の一例を示す図である。図４の例において、測定部１０は、差動アンプ１１と、ローパスフィルター１２と、キャパシタＣ１及びＣ２と、抵抗Ｒ３〜Ｒ６とを含む。差動アンプ１１の非反転入力端子は、キャパシタＣ１を介して生体用電極Ｅ１０１に接続されるとともに、電源電圧ＶＤＤとグランドとの間に直列接続された抵抗Ｒ３及びＲ４の接続中点に接続される。差動アンプ１１の反転入力端子は、キャパシタＣ２を介して生体用電極Ｅ１０２に接続されるとともに、電源電圧ＶＤＤとグランドとの間に直列接続された抵抗Ｒ５及びＲ６の接続中点に接続される。抵抗Ｒ３及びＲ４は、差動アンプ１１の非反転入力端子の直流バイアス電圧を電源電圧ＶＤＤの半分の電圧に設定する。抵抗Ｒ５及びＲ６の直列回路は、差動アンプ１１の反転入力端子の直流バイアス電圧を電源電圧ＶＤＤの半分の電圧に設定する。ローパスフィルター１２は、差動アンプ１１の出力信号に含まれる高域のノイズ成分を除去し、測定結果の信号Ｓ１として制御部６０に出力する。
【００４８】
生体の電気信号や第２信号出力部４０の第２検査信号Ｓ４０によって、生体用電極Ｅ１０１及びＥ１０２の間の電圧が変化すると、この電圧変化の交流信号成分がキャパシタＣ１、Ｃ２を通過する。キャパシタＣ１、Ｃ２を通過した交流信号成分は、差動アンプ１１において増幅され、ローパスフィルター１２において高域ノイズ成分を除去された後、測定結果の信号Ｓ１として制御部６０に出力される。
【００４９】
図４の例において、第２信号出力部４０は、差動出力回路４１と、キャパシタＣ３及びＣ４と、抵抗Ｒ７及びＲ８を含む。差動出力回路４１は、制御部６０の制御信号Ｓ４に応じた差動信号を出力する。例えば差動出力回路４１はロジック回路であり、制御信号Ｓ４と同じ論理値の信号、及び、制御信号Ｓ４と反対の論理値の信号を、それぞれ差動信号の片方の信号として出力する。制御信号Ｓ４が交流成分を含む周期的な信号である場合、差動信号も周期的な信号となる。キャパシタＣ３と抵抗Ｒ７は、差動出力回路４１の一方の出力端子と生体用電極Ｅ１０１との間で直列に接続される。キャパシタＣ４と抵抗Ｒ８は、差動出力回路４１の他方の出力端子と生体用電極Ｅ１０２との間で直列に接続される。抵抗Ｒ７及びＲ８のインピーダンスは、生体用電極Ｅ１０１及びＥ１０２に接触する生体のインピーダンスに比べて十分に大きい。
【００５０】
なお、図４の構成例における第２信号出力部４０のキャパシタＣ３及びＣ４は、差動出力回路４１の差動信号に含まれる直流成分をカットするためのものであるが、抵抗Ｒ７及びＲ８が十分に大きな抵抗値を有する場合には、キャパシタＣ３及びＣ４を省略して、抵抗Ｒ７及びＲ８を生体用電極Ｅ１０１及び１０２に直接接続してもよい。また、キャパシタＣ３及びＣ４を省略する場合、例えば図５において示すように、測定部１０のキャパシタＣ１及びＣ２をキャパシタＣ３及びＣ４の代わりに用いてもよい。図５の例では、抵抗Ｒ７がキャパシタＣ１を介して生体用電極Ｅ１０１に接続され、抵抗Ｒ８がキャパシタＣ２を介して生体用電極Ｅ１０２に接続される。図５の構成例によれば、キャパシタの個数を削減しつつ、差動出力回路４１から生体用電極Ｅ１０１及びＥ１０２に出力される差動信号の直流成分をカットできる。
【００５１】
再び図２に戻る。
通信部５０は、図示しない他の機器（例えば測定動作を制御するホスト装置）と無線により通信を行ない、測定部１０の測定結果を生体情報として送信する。通信部５０は、例えばＢｌｕｅｔｏｏｔｈ（登録商標）などの近距離無線通信方式に準拠した無線通信を行うための送受信機を含む。
【００５２】
制御部６０は、生体情報測定装置の全体的な動作の制御を行う。制御部６０は、例えば、記憶部７０に格納されるプログラム７１の命令コードに従って処理を実行するコンピュータや、専用のロジック回路を含む。制御部６０は、全ての処理をコンピュータにおいてプログラムに基づいて実行してもよいし、少なくとも一部の処理を専用のロジック回路によって実行してもよい。
【００５３】
制御部６０は、起動後の初期状態において、生体接触面１０３から被覆部３００が剥離されたか否かの判定を行う。すなわち、制御部６０は、生体接触面１０３における導電率に基づいて、被覆部３００の剥離の有無を判定する。具体的には、制御部６０は、２つの生体用電極（Ｅ１０１，Ｅ１０２）の間における導電率に基づいて、被覆部３００の剥離の有無を判定する。
【００５４】
被覆部３００の剥離の有無を判定する場合、制御部６０は、第１信号出力部２０から生体用電極Ｅ１０１へ第１検査信号Ｓ２０を出力し、第１検査信号Ｓ２０に応じて信号入力部３０が生体用電極Ｅ１０２から入力した信号Ｓ３０に基づいて、被覆部３００の剥離の有無を判定する。例えば第１信号出力部２０及び信号入力部３０が図３Ａや図３Ｂに示す構成を有する場合、制御部６０は制御信号Ｓ４をハイレベルに設定し、これにより第１信号出力部２０からハイレベルの第１検査信号Ｓ２０を出力する。制御部６０は、第１検査信号Ｓ２０がハイレベルのとき、信号Ｓ３がハイレベルであれば被覆部３００が剥離されていないと判定し、信号Ｓ３がローレベルであれば被覆部３００が剥離されたと判定する。
【００５５】
生体接触面１０３から被覆部３００が剥離されたと判定した場合、制御部６０は、第１信号出力部２０の出力ライン及び信号入力部３０の入力ラインを２つの生体用電極（Ｅ１０１，Ｅ１０２）からそれぞれ電気的に切断するように、第１信号出力部２０及び信号入力部３０を制御する（図３Ａや図３ＢにおけるスイッチＳＷ１，スイッチＳＷ２をオフする）。
【００５６】
制御部６０は、被覆部３００が剥離されたと判定した場合、通信部５０によって他の機器との通信を開始する。例えば通信部５０においてＢｌｕｅｔｏｏｔｈ  Ｌｏｗ  Ｅｎｅｒｇｙ（登録商標）に準拠した無線通信を行なう場合、制御部６０は、周囲の機器との接続を開始するためのアドバタイジング処理を実行するように通信部５０を制御する。
【００５７】
また制御部６０は、被覆部３００が剥離されたと判定した後、生体接触面１０３に生体が接触したか否かを更に判定する。すなわち、制御部６０は、被覆部３００が剥離されたと判定した後、第２信号出力部４０から２つの生体用電極（Ｅ１０１，Ｅ１０２）に第２検査信号Ｓ４０を出力し、第２検査信号Ｓ４０の変化に応じた測定部１０の測定結果の変化に基づいて生体の接触の有無を判定する。
【００５８】
制御部６０は、生体接触面１０３に生体が接触したと判定した後、測定部１０の測定結果に基づいて、生体の異変や機器の故障などの異常を判定する。すなわち制御部６０は、測定部１０において所定の生体活動を示す生体情報が一定時間以上測定されない場合（例えば信号Ｓ１の所定の波形パターンが一定時間以上取得されない場合）、異常の発生を通知するための異常通知を通信部５０から他の機器（ホスト装置など）へ送信する。
【００５９】
記憶部７０は、制御部６０において処理に利用される定数データや、処理の過程で一時的に保存が必要なデータ、処理結果のデータなどを記憶する。また記憶部７０は、制御部６０のコンピュータによって実行されるプログラム７１を記憶する。記憶部７０は、例えばＤＲＡＭやＳＲＡＭ、フラッシュメモリ、ＲＯＭ、ハードディスクなど、任意の記憶装置によって構成される。記憶部７０に記憶されるプログラム７１は、通信部５０によって他の機器からダウンロードしたものでもよいし。図示しない読み取り装置によって任意の記録媒体（光ディスク、ＵＳＢメモリなど）から入力したものでもよい。
【００６０】
ここで、上述した構成を有する本実施形態に係る生体情報測定装置の動作について、図６及び図７のフローチャートを参照して説明する。
【００６１】
まず制御部６０は、電源投入後などの初期状態において、生体接触面１０３を覆う被覆部３００が剥離されたか否かの判定を行う（ＳＴ１００）。
【００６２】
図７は、剥離判定（ＳＴ１００）の一動作例を説明するためのフローチャートである。
制御部６０は、電源の投入などによって起動した後（ＳＴ２００）、消費電力が抑制されるスリープモードへ移行する（ＳＴ２５０）。スリープモードの開始から所定時間が経過すると（ＳＴ２１０）、制御部６０はスリープモードから通常モードに移行し（ＳＴ２１５）、第１信号出力部２０から生体用電極Ｅ１０１へ第１検査信号Ｓ２０を出力する（ＳＴ２２０）。制御部６０は、第１検査信号Ｓ２０が出力されたときに信号入力部３０が生体用電極Ｅ１０２から入力した信号Ｓ３０に基づいて、被覆部３００の剥離の有無を判定する。
【００６３】
例えば図３Ａや図３Ｂの構成において、制御部６０は制御信号Ｓ４をハイレベルに設定し、第１信号出力部２０から生体用電極Ｅ１０１へハイレベルの第１検査信号Ｓ２０を出力する。ハイレベルの第１検査信号Ｓ２０を出力しているときに、信号入力部３０が生体用電極Ｅ１０２から入力した信号Ｓ３０がハイレベルであり、これによりゲート回路Ｕ２の信号Ｓ３がハイレベルになっている場合、制御部６０は、被覆部３００が剥離されていないと判定する。被覆部３００が剥離されていない場合、制御部６０はステップＳＴ２０５に戻り、通常モードからスリープモードへ移行する（ＳＴ２０５）。被覆部３００が剥離されていない場合、ステップＳＴ２０５〜ＳＴ２２５の処理を繰り返すため、制御部６０は一定の周期でスリープモードから通常モードに移行することになる。
【００６４】
ステップＳＴ２２０でハイレベルの第１検査信号Ｓ２０を出力しているときに、信号入力部３０が生体用電極Ｅ１０２から入力した信号Ｓ３０がローレベルであり、これによりゲート回路Ｕ２の信号Ｓ３がローレベルになっている場合、制御部６０は、被覆部３００が剥離されていると判定する（ＳＴ２２５）。
【００６５】
被覆部３００が剥離されていると判定した場合、制御部６０は、スイッチＳＷ１，スイッチＳＷ２（図３Ａ，図３Ｂ）をオフする。すなわち、制御部６０は、第１信号出力部２０の出力ライン及び信号入力部３０の入力ラインを２つの生体用電極（Ｅ１０１，Ｅ１０２）からそれぞれ電気的に切断する。
【００６６】
図６に戻る。
剥離判定（ＳＴ１００）において被覆部３００が剥離されたと判定した場合（ＳＴ１０５）、制御部６０は、通信部５０において他の機器（ホスト装置など）との通信を開始する（ＳＴ１１０）。例えば制御部６０は、周囲の機器との接続するために必要なアドバタイジングなどの処理を実行する。制御部６０は、他の機器との通信が確立するまで、接続処理を続ける（ＳＴ１１０，ＳＴ１１５）。
【００６７】
他の機器との通信が確立すると（ＳＴ１１５）、制御部６０は、生体接触面１０３に生体が接触したか否かの判定を更に行う（ＳＴ１２０）。例えば制御部６０は、第２信号出力部４０から２つの生体用電極（Ｅ１０１、Ｅ１０２）へ第２検査信号Ｓ４０を出力し、第２検査信号Ｓ４０に応じた測定部１０の測定結果の変化を監視する。生体接触面１０３が生体に接触すると、２つの生体用電極（Ｅ１０１、Ｅ１０２）の間におけるインピーダンスが低下するため、２つの生体用電極（Ｅ１０１、Ｅ１０２）へ出力される第２検査信号Ｓ４０の電圧振幅が小さくなる。第２検査信号Ｓ４０の電圧振幅が小さくなることで測定部１０の測定結果（信号Ｓ１の波形データの振幅）が変化すると、制御部６０は、生体接触面１０３に生体が接触したと判定する（ＳＴ１２５）。
【００６８】
生体接触面１０３に生体が接触したと判定した場合、制御部６０は、測定部１０において生体情報（生体の電気信号）を測定し、その波形データを生体情報として記憶部７０に蓄積する（ＳＴ１３０）。制御部６０は、測定部１０から取得した波形データを監視し、この波形データの中に、所定の生体活動を示す波形データが含まれているか否かを判定する（ＳＴ１３５）。所定の生体活動を示す波形データが含まれている場合、制御部６０は、通信部５０から波形データ（生体情報）を送信するべき所定の条件を満たしているならば（例えば一定量を超える波形データが記憶部７０に蓄積されている条件など）、通信部５０から波形データを送信する（ＳＴ１４０、ＳＴ１４５）。その後、制御部６０はステップＳＴ１３０に戻り、測定処理を続行する。
【００６９】
他方、制御部６０は、測定結果の波形データの中に所定の生体活動を示す波形データが含まれていない状態が所定時間以上継続している場合（ＳＴ１５０）、生体の異変や装置の故障などの可能性があるため、通信部５０から他の機器へ異常通知を送信する（ＳＴ１５５）。
【００７０】
以上説明したように、本実施形態に係る生体情報測定装置によれば、生体接触面１０３から被覆部３００を剥がす簡単な操作によって通信部５０の通信を開始できる。この操作は、生体情報測定装置を使用する際に必要であり、無駄な操作とならない。そのため、医療分野などにおいて測定結果を即座に利用することが可能となり、利便性を向上できる。
【００７１】
また、本実施形態に係る生体情報測定装置では、被覆部３００が剥離される前の段階では、制御部６０がスリープモードへ移行するとともに、一定の周期でスリープモードから通常モードに移行して、被覆部３００の剥離の有無が判定される。そのため、被覆部３００が剥離される前の段階における消費電力を効果的に抑制できる。
【００７２】
また、本実施形態に係る生体情報測定装置では、測定部１０において生体情報の測定が行われる際に、第１信号出力部２０の出力ライン及び信号入力部３０の入力ラインが２つの生体用電極（Ｅ１０１，Ｅ１０２）からそれぞれ電気的に切断される。そのため、測定部１０の測定結果が第１信号出力部２０や信号入力部３０の影響を受け難くなる。
【００７３】
また、本実施形態に係る生体情報測定装置によれば、被覆部３００が剥離された後、生体接触面１０３に生体が接触するまで測定部１０の測定が開始されないため、不必要な測定による消費電力の増大を回避できる。
【００７４】
また、本実施形態に係る生体情報測定装置によれば、生体接触面１０３に生体が接触した後、所定の生体活動を示す生体情報が測定されない状態が続いた場合に、通信部５０から他の機器へ異常通知が送信される。これにより、生体の異変や機器の故障などの異常の発生を、簡易な処理で他の機器に通知できる。
【００７５】
次に、剥離判定（ＳＴ１００：図６）の他の動作例について、図８のフローチャートフローチャートを参照して説明する。
【００７６】
制御部６０は、電源の投入などによって起動した後（ＳＴ３００）、第１信号出力部２０からハイレベルの第１検査信号Ｓ２０を出力し（ＳＴ３０５）、その状態のままスリープモードへ移行する（ＳＴ３１０）。制御部６０は、スリープモードにおいて、信号入力部３０に入力される信号Ｓ３０を割り込み信号として監視する（ＳＴ３１０、ＳＴ３１５）。具体的には、制御部６０は、信号Ｓ３０に応じたレベルを有するゲート回路Ｕ２の信号Ｓ３が、ローレベルからハイレベルへ変化するエッジを監視する。制御部６０は、割り込み信号が所定のアクティブ状態となった場合（信号Ｓ３がローレベルからハイレベルへ変化した場合）、スリープモードから通常モードへ移行するとともに（ＳＴ３２０）、被覆部３００が剥離されたと判定して、第１信号出力部２０及び信号入力部３０のスイッチＳＷ１及びＳＷ２をオフする（ＳＴ３２５）。
【００７７】
この動作例によれば、被覆部３００が剥離される前の段階では、割り込み信号が所定のアクティブ状態となるまでスリープモードが維持される。そのため、被覆部３００が剥離される前の段階における消費電力を効果的に抑制できる。
【００７８】
以上、本発明の一実施形態について説明したが、本発明は上述した実施形態にのみ限定されるものではなく、種々のバリエーションを含んでいる。
【００７９】
例えば、上述した生体情報測定装置の例では生体用電極の個数が２つであるが、生体用電極の個数は３以上でもよい。
【００８０】
上述した実施形態では、生体接触面の導電率に基づいて被覆部の剥離の有無を判定する例を挙げたが、本発明はこの例に限定されない。本発明の他の実施形態では、例えば生体接触面における明るさ（照度）の違いや、生体接触面における静電容量の違いなど、被覆部の剥離の有無に応じた種々の物理量の違いに基づいて、被覆部の剥離の有無を判定してもよい。
【符号の説明】
【００８１】
１０…測定部、１１…差動アンプ、１２…ローパスフィルター、２０…第１信号出力部、３０…信号入力部、４０…第２信号出力部、４１…差動出力回路、５０…通信部、６０…制御部、７０…記憶部、７１…プログラム、１０１…シート部材、１０２…表面、１０３…生体接触面、２０１…ケース、３００…被覆部、Ｅ１０１，Ｅ１０２…生体用電極、Ｕ１，Ｕ２…ゲート回路、ＳＷ１，ＳＷ２…スイッチ、Ｓ２０…第１検査信号、Ｓ４０…第２検査信号
【図１】
2018191748.tif 000003
【図２】
2018191748.tif 000004
【図３】
2018191748.tif 000005
【図４】
2018191748.tif 000006
【図５】
2018191748.tif 000007
【図６】
2018191748.tif 000008
【図７】
2018191748.tif 000009
【図８】
2018191748.tif 000010